(57)【特許請求の範囲】
【請求項１】
画素トランジスタを含む画素が行列状に配置され、前記画素の液晶セルの対向電極と、当該液晶セルの画素電極に一方の電極が接続された保持容量の他方の電極とが各画素間で共通のラインに接続されてなる画素部を行単位で順次駆動する垂直駆動手段と、
映像信号を入力する映像信号ラインと前記画素部の各列ごとに配線された複数本の信号ラインの各々との間に接続されたサンプリングスイッチ群と、
前記サンプリングスイッチ群の各スイッチを順次駆動する第１の水平駆動手段と、
グレーレベルと黒レベルを有するプリチャージ信号を入力するプリチャージ信号ラインと前記複数本の信号ラインの各々との間に接続されたプリチャージスイッチ群と、
前記第１の水平駆動手段による前記サンプリングスイッチ群の各スイッチの駆動に先立って、前記プリチャージスイッチ群の各スイッチを駆動することによって前記プリチャージ信号を黒レベルおよびグレーレベルの順に前記複数本の信号ラインの各々に一括して書き込み、この書き込んだグレーレベルを映像信号が書き込まれるまでホールドする一方、表示エリアの両側を黒表示にするサイドブラックモードの設定時には前記複数本の信号ラインのうちの両サイドの所定数の信号ラインに対して前記プリチャージ信号をグレーレベルおよび黒レベルの順に書き込み、この書き込んだ黒レベルをホールドする第２の水平駆動手段と
を備えたアクティブマトリクス型液晶表示装置。
【請求項２】
前記プリチャージ信号は、そのグレーレベルの発生タイミングがプリチャージ開始タイミングに対して所定時間だけ遅れた位相関係にある
請求項１記載のアクティブマトリクス型液晶表示装置。
【請求項３】
前記プリチャージ信号のグレーレベルの発生タイミングは、プリチャージ開始タイミングに対してプリチャージ期間の半分程度の時間だけ遅れている
請求項２記載のアクティブマトリクス型液晶表示装置。
【請求項４】
画素トランジスタを含む画素が行列状に配置され、前記画素の液晶セルの対向電極と、当該液晶セルの画素電極に一方の電極が接続された保持容量の他方の電極とが各画素間で共通のラインに接続されてなる画素部を、行ごとに画素単位で順次駆動するアクティブマトリクス型液晶表示装置の駆動に当たって、
前記画素部の各列ごとに配線された信号ラインの各々に対して、映像信号の書き込みに先立ってプリチャージ信号を黒レベルおよびグレーレベルの順に一括して書き込み、この書き込んだグレーレベルを映像信号が書き込まれるまでホールドする一方、
表示エリアの両側を黒表示にするサイドブラックモードの設定時に、前記信号ラインのうちの両サイドの所定数の信号ラインに対して、先ずグレーレベルのプリチャージ信号を書き込み、続いて黒レベルのプリチャージ信号を書き込み、その後この書き込んだ黒レベルのプリチャージ信号をホールドする
アクティブマトリクス型液晶表示装置の駆動方法。
【請求項５】
前記プリチャージ信号は、そのグレーレベルの発生タイミングがプリチャージ開始タイミングに対して所定時間だけ遅れた位相関係にある
請求項４記載のアクティブマトリクス型液晶表示装置の駆動方法。
【請求項６】
前記プリチャージ信号のグレーレベルの発生タイミングは、プリチャージ開始タイミングに対してプリチャージ期間の半分程度の時間だけ遅れている
請求項５記載のアクティブマトリクス型液晶表示装置の駆動方法。
【発明の詳細な説明】
【０００１】
【発明の属する技術分野】
本発明は、液晶表示装置およびその駆動方法に関し、特に行列状に配置された各画素をライン（行）ごとに画素単位で順次駆動する点順次駆動方式のアクティブマトリクス型液晶表示装置およびその駆動方法に関する。
【０００２】
【従来の技術】
アクティブマトリクス型液晶表示装置では、通常、各画素のスイッチング素子として薄膜トランジスタ（ＴＦＴ：thin film transistor）が用いられている。このアクティブマトリクス型ＴＦＴ液晶表示装置において、点順次駆動を行う際に、各画素に印加する映像信号の極性を１Ｈ（Ｈは水平期間）ごとに反転させる１Ｈ反転駆動方式では、画素部の各列ごとに配線された信号ラインへの映像信号の書き込みによる充放電電流が大きいと、縦スジとして表示画面上に見えてしまうことになる。
【０００３】
この映像信号の書き込みによる充放電電流をなるべく抑えるために、映像信号の書き込みに先立って、あらかじめプリチャージ信号レベルを書き込むプリチャージ方式が知られている。この点順次プリチャージ方式のアクティブマトリクス型ＴＦＴ液晶表示装置の構成の一例を図４に示す。ここでは、簡単のために、４行４列の画素配列の場合を例に採って示している。
【０００４】
図４において、ゲートラインＶｇ１〜Ｖｇ４の各々と信号ラインｓｉｇ１〜ｓｉｇ４の各々の交差部に、画素１０１が行列状に配置されている。この画素１０１は、ゲート電極がゲートラインＶｇ１〜Ｖｇ４に、ソース電極（又は、ドレイン電極）が信号ラインｓｉｇ１〜ｓｉｇ４にそれぞれ接続された薄膜トランジスタＴＦＴと、この薄膜トランジスタＴＦＴのドレイン電極（又は、ソース電極）に一方の電極が接続された保持容量Ｃｓとを有する構成となっている。なお、ここでは、図面の簡素化のために、液晶セルＬＣについては省略している。この液晶セルＬＣは、その画素電極が薄膜トランジスタＴＦＴのドレイン電極に接続されている。
【０００５】
この画素構造において、図示せぬ液晶セルＬＣの対向電極および保持容量Ｃｓの他方の電極は各画素間で共通にＣｓライン１０２に接続されている。そして、このＣｓライン１０２を介して所定の直流電圧がコモン電圧Ｖｃｏｍとして、液晶セルＬＣの対向電極および保持容量Ｃｓの他方の電極にそれぞれ与えられるようになっている。
【０００６】
画素部の例えば左側にはスキャンドライバ１０３が配されている。このスキャンドライバ１０３は、１垂直期間（１フィールド期間）ごとにゲートラインＶｇ１〜Ｖｇ４を順次走査して画素１０１を行単位で選択する処理を行う。また、画素部の例えば上側にはソースドライバ１０４が、画素部の例えば下側にはプリチャージドライバ１０５がそれぞれ配されている。
【０００７】
ソースドライバ１０４は、映像信号ライン１０６を通して入力される、１Ｈごとに極性が反転する映像信号ｖｉｄｅｏを順次サンプリングし、スキャンドライバ１０３によって選択された行の各画素１０１に対して書き込む処理を行う。すなわち、画素部の各信号ラインｓｉｇ１〜ｓｉｇ４と映像信号ライン１０６との間に接続されたサンプリングスイッチｈｓｗ１〜ｈｓｗ４が、シフトレジスタの各転送段１０７-1〜１０７-4から順に出力されるサンプリングパルスＶｈ１〜Ｖｈ４に応答して順次オンするようになっている。
【０００８】
プリチャージドライバ１０５は、プリチャージ信号ライン１０８を通して映像信号ｖｉｄｅｏと同極性で入力されるプリチャージ信号レベルＰｓｉｇを順次サンプリングし、スキャンドライバ１０３によって選択された行の画素１０１に対して映像信号ｖｉｄｅｏに先立って書き込む処理を行う。すなわち、画素部の各信号ラインｓｉｇ１〜ｓｉｇ４とプリチャージ信号ライン１０８との間に接続されたプリチャージスイッチｐｓｗ１〜ｐｓｗ４が、シフトレジスタの各転送段１０９-1〜１０９-4から順に出力されるサンプリングパルスＶｐ１〜Ｖｐ４に応答して順次オンするようになっている。
【０００９】
次に、上記構成の点順次プリチャージ方式のアクティブマトリクス型ＴＦＴ液晶表示装置の動作について、図５のタイミングチャートを用いて説明する。
【００１０】
先ず、プリチャージドライバ１０５におけるシフトレジスタの各転送段１０９-1〜１０９-4からは、プリチャージスタートパルスＰｓｔに応答してサンプリングパルスＶｐ１〜Ｖｐ４が水平クロックＣＫに同期して順次出力される。一方、ソースドライバ１０４におけるシフトレジスタの各転送段１０７-1〜１０７-4からは、水平スタートパルスＨｓｔに応答して、サンプリングパルスＶｐ１〜Ｖｐ４に対して水平クロックＣＫの半クロック分だけ遅れて、サンプリングパルスＶｈ１〜Ｖｈ４が水平クロックＣＫに同期して順次出力される。
【００１１】
これにより、スキャンドライバ１０３によって順次選択される各行ごとに、先ず、サンプリングパルスＶｐ１に応答してプリチャージスイッチｐｓｗ１がオンすることによってプリチャージ信号レベルＰｓｉｇが信号ラインｓｉｇ１に書き込まれ、続いてサンプリングパルスＶｈ１に応答してサンプリングスイッチｈｓｗ１がオンすることによって映像信号レベルｖｉｄｅｏが信号ラインｓｉｇ１に書き込まれる。以降、サンプリングパルスＶｐ２〜Ｖｐ４およびサンプリングパルスＶｈ２〜Ｖｈ４によってプリチャージ信号レベルＰｓｉｇおよび映像信号レベルｖｉｄｅｏが点順次にて信号ラインｓｉｇ１に書き込まれる。
【００１２】
このように、アクティブマトリクス型ＴＦＴ液晶表示装置において、映像信号ｖｉｄｅｏの信号ラインｓｉｇ１〜ｓｉｇ４への書き込みに先立って、あらかじめプリチャージ信号レベルＰｓｉｇを点順次にて書き込んでおくようにすることで、映像信号ｖｉｄｅｏを書き込む際の信号レベルは小さくて済む。これにより、映像信号ｖｉｄｅｏの書き込み時の充放電電流を抑えることができるため、縦スジの発生を防ぐことができるのである。
【００１３】
ところで、プリチャージ信号レベルＰｓｉｇとしては、縦スジの最も見えやすいグレーレベルに設定しなければならない。しかしながら、プリチャージ信号レベルＰｓｉｇをグレーレベルに設定すると、ウインドウパターン等を表示した際に、画素トランジスタ（薄膜トランジスタ）のソース・ドレイン間での光リーク量が映像の場所によって異なることに起因して、縦方向のクロストーク（以下、縦クロストークと略称する）が発生し、よって画品位を損なうことになる。
【００１４】
この縦クロストークが発生しないようにするためには、プリチャージ信号レベルＰｓｉｇを黒レベルに設定すれば良く、これにより、画素トランジスタのソース・ドレイン間のリーク電流を画面全体に亘って均一にすることができる。ところが、プリチャージ信号レベルＰｓｉｇを黒レベルに設定すると、先述した縦スジが発生することになる。すなわち、縦クロストークと縦スジとはトレードオフの関係にある。
【００１５】
そこで、本出願人は、黒レベルとグレーレベルを２ステップで一括してプリチャージする、いわゆる２ステップ一括プリチャージ方式のアクティブマトリクス型ＴＦＴ液晶表示装置を提案した。この２ステップ一括プリチャージ方式のアクティブマトリクス型ＴＦＴ液晶表示装置の構成の一例を図６に示す。なお、点順次プリチャージ方式のアクティブマトリクス型ＴＦＴ液晶表示装置に比べて、プリチャージドライバの構成が異なるだけである。
【００１６】
すなわち、プリチャージドライバ１０５′では、黒レベルとグレーレベルを持つ２ステップのプリチャージ信号レベルＰｓｉｇがプリチャージ信号ライン１０８を通して入力される一方、各信号ラインｓｉｇ１〜ｓｉｇ４とプリチャージ信号ライン１０８との間に接続されたプリチャージスイッチｐｓｗ１〜ｐｓｗ４には、制御ライン１１０を通してプリチャージ制御パルスＰｃｇが共通に与えられるようになっている。
【００１７】
図７に、２ステップ一括プリチャージ方式の場合のタイミング関係を示す。このタイミングチャートから明らかなように、プリチャージ制御パルスＰｃｇは、水平ブランキング期間で発生される。これにより、水平ブランキング期間において、２ステッププリチャージ信号Ｐｓｉｇのうち、先ず黒レベルが、続いてグレーレベルが信号ラインｓｉｇ１〜ｓｉｇ４に対して一括して書き込まれ、その後映像信号ｖｉｄｅｏが点順次にて信号ラインｓｉｇ１〜ｓｉｇ４に書き込まれることになる。
【００１８】
このように、水平ブランキング期間に２ステップのプリチャージ信号Ｐｓｉｇを入力し、信号ラインｓｉｇ１〜ｓｉｇ４に対して一括してプリチャージを行うことによって先ず黒レベルを書き込むことで、画素トランジスタのソース・ドレイン間のリーク電流に起因して発生する縦クロストークを除去し、その後グレーレベルを書き込むことで、映像信号ｖｉｄｅｏの書き込みの際の充放電電流に起因して発生する縦スジを除去することができる。
【００１９】
ところで、ＮＴＳＣ方式等の標準テレビジョン方式ではアスペクト比が４：３であるのに対して、ハイビジョンではアスペクト比が１６：９である。液晶表示装置において、これらアスペクト比が異なるテレビジョン方式に対応できるようにするためには、テレビジョン方式に応じてアスペクト比を切り換えるようにする必要がある。
【００２０】
そのために、点順次駆動方式のアクティブマトリクス型液晶表示装置では、従来、例えばアスペクト比が１６：９の表示エリアの液晶パネル（画素部およびその周辺回路を搭載した透明絶縁基板）において、表示エリアの両側を黒表示（サイドブラック表示）することにより、アスペクト比が４：３の表示エリアを実現するという具合に、テレビジョン方式に応じたアスペクト比の切り換えをパネル内部で行うようにしていた。
【００２１】
先述した２ステップ一括プリチャージ方式のアクティブマトリクス型ＴＦＴ液晶表示装置にあっては、図８に示すように、サイドブラックモードの場合に、両サイドのプリチャージスイッチｐｓｗ１，ｐｓｗ４については、プリチャージ制御パルスＰｃｇに代えてサイドブラック制御パルスＰｓｂをサイドブラック設定信号ＳＢに応答して取り込み、このサイドブラック制御パルスＰｓｂによってプリチャージスイッチｐｓｗ１，ｐｓｗ４をドライブすることにより、信号ラインｓｉｇ１，４に対して１ステップ目の黒レベルを書き込むようにしていた。
【００２２】
【発明が解決しようとする課題】
しかしながら、信号ラインｓｉｇ１〜ｓｉｇ４に対して先ず黒レベルを書き込み、その後グレーレベルを書き込む２ステップ一括プリチャージ方式のアクティブマトリクス型ＴＦＴ液晶表示装置において、上述したように、アスペクト比の切り換えに当たってのサイドブラックモードの場合に、信号ラインｓｉｇ１，４に対して１ステップ目の黒レベルのみを書き込むようにしたのでは、次のような問題が生ずる。
【００２３】
すなわち、Ｃｓライン１０２には隣り合う左右の各画素間で抵抗分Ｒｃｓが存在し、この抵抗分Ｒｃｓと保持容量Ｃｓで微分回路が形成されることから、信号ラインｓｉｇ１，４に対して一斉に黒レベルを書き込んだ際に、この黒レベルが保持容量Ｃｓを介してＣｓライン１０２に飛び込み、Ｃｓライン１０２の電位Ｖｃｓが黒レベルと同極性の方向にゆれる。ここで、この電位Ｖｃｓのゆれ分をΔＶｃｓとする。
【００２４】
そして、サイドブラック制御パルスＰｓｂが消滅（“Ｌ”レベルに遷移）し、プリチャージスイッチｐｓｗ１，ｐｓｗ４がオフすると、その後に信号ラインｓｉｇ１，４の電位がＣｓライン１０２の電位Ｖｃｓのゆれ分ΔＶｃｓだけ引き戻されてしまうため、信号ラインｓｉｇ１，４の電位が理想の黒レベルよりもゆれ分ΔＶｃｓだけ低くなる。これにより、表示エリアの両サイドが完全な黒表示とはならず、グレーに近い表示となるため、パネル内部でのアスペクト比の切り換えに支障を来すことになる。
【００２５】
本発明は、上記課題に鑑みてなされたものであり、その目的とするところは、２ステップ一括プリチャージ方式を採用しても、表示エリアの両サイドを完全な黒表示にし、パネル内部でのアスペクト比の切り換えを可能とした液晶表示装置およびその駆動方法を提供することにある。
【００２６】
【課題を解決するための手段】
上記目的を達成するために、本発明では、画素の液晶セルの対向電極と、当該液晶セルの画素電極に一方の電極が接続された保持容量の他方の電極とが各画素間で共通のラインに接続されてなる点順次駆動方式のアクティブマトリクス型液晶表示装置において、２ステップ一括プリチャージ方式を採用し、画素部の各列ごとに配線された信号ラインの各々に対して、映像信号の書き込みに先立ってプリチャージ信号を黒レベルおよびグレーレベルの順に一括して書き込み、この書き込んだグレーレベルを映像信号が書き込まれるまでホールドする一方、特定の動作モードであるサイドブラックモードの設定時には、表示エリアの両サイドの所定数の信号ラインに対して、先ずグレーレベルのプリチャージ信号を書き込み、続いて黒レベルのプリチャージ信号を書き込み、その後この書き込んだ黒レベルのプリチャージ信号をホールドするようにする。
【００２７】
２ステップ一括プリチャージ方式を採用した点順次駆動方式のアクティブマトリクス型液晶表示装置において、サイドブラックモードの設定時に、両サイドの信号ラインに対してプリチャージ信号をグレーレベルおよび黒レベルの順で書き込み、その後この黒レベルをホールドすることにより、黒レベルを一斉に書き込む訳ではないので、その書き込みの際にＣｓラインの電位のゆれが発生しない。したがって、両サイドの信号ラインに対して確実に黒レベルが書き込め、表示エリアの両サイドを完全な黒表示にすることができるため、パネル内部でのアスペクト比の切り換えを実現できる。
【００２８】
【発明の実施の形態】
以下、本発明の実施の形態について図面を参照して詳細に説明する。図１は、本発明の一実施形態に係る点順次駆動方式アクティブマトリクス型液晶表示装置の構成例を示す回路図である。ここでは、簡単のために、４行４列の画素配列の場合を例に採って示している。
【００２９】
図１において、ゲートラインＶｇ１〜Ｖｇ４の各々と信号ラインｓｉｇ１〜ｓｉｇ４の各々の交差部には、画素１１が行列状に配置されている。この画素１１は、ゲート電極がゲートラインＶｇ１〜Ｖｇ４に、ソース電極（又は、ドレイン電極）が信号ラインｓｉｇ１〜ｓｉｇ４にそれぞれ接続された薄膜トランジスタＴＦＴと、この薄膜トランジスタＴＦＴのドレイン電極（又は、ソース電極）に一方の電極が接続された保持容量Ｃｓとを有する構成となっている。
【００３０】
なお、ここでは、図面の簡素化のために、液晶セルＬＣについては省略している。この液晶セルＬＣは、その画素電極が薄膜トランジスタＴＦＴのドレイン電極に接続されている。
【００３１】
この画素構造において、図示せぬ液晶セルＬＣの対向電極および保持容量Ｃｓの他方の電極は各画素間で共通にＣｓライン１２に接続されている。そして、このＣｓライン１２を介して所定の直流電圧がコモン電圧Ｖｃｏｍとして、図示せぬ液晶セルＬＣの対向電極および保持容量Ｃｓの他方の電極に与えられるようになっている。なお、Ｃｓライン１２は、隣り合う左右の各画素間で抵抗分Ｒｃｓを有している。
【００３２】
画素部の例えば左側にはスキャンドライバ１３が配されている。このスキャンドライバ１３は、１フィールド期間ごとにゲートラインＶｇ１〜Ｖｇ４を順次走査して画素１１を行単位で選択する処理を行う。また、画素部の例えば上側にはソースドライバ１４が、画素部の例えば下側にはプリチャージドライバ１５がそれぞれ配されている。
【００３３】
ソースドライバ１４は、映像信号ライン１６を通して入力される、１Ｈごとに極性が反転する映像信号ｖｉｄｅｏを順次サンプリングし、スキャンドライバ１３によって選択された行の画素１１に対して書き込む処理を行う。すなわち、画素部の各信号ラインｓｉｇ１〜ｓｉｇ４と映像信号ライン１６との間に接続されたサンプリングスイッチｈｓｗ１〜ｈｓｗ４が、シフトレジスタの各転送段１７-1〜１７-4から順に出力されるサンプリングパルスＶｈ１〜Ｖｈ４に応答して順次オンするようになっている。
【００３４】
プリチャージドライバ１５には、グレーレベルと黒レベルを有する２ステップのプリチャージ信号Ｐｓｉｇがプリチャージ信号ライン１８によって伝送入力される。このプリチャージ信号Ｐｓｉｇは、特に図２のタイミングチャートから明らかなように、映像信号ｖｉｄｅｏが１Ｈごとに反転するのに対応して、グレーレベルおよび黒レベルの各極性が１Ｈごとに反転するようになっている。
【００３５】
ここで、プリチャージは映像信号ｖｉｄｅｏの書き込みに先立って行われる訳であるから、図２のタイミングチャートに示すように、水平スタートパルスＨｓｔが発生する以前の水平ブランキング期間（ＢＬＫ）において、“Ｈ”レベルのプリチャージ制御パルスＰｃｇが発生される。このプリチャージ制御パルスＰｃｇの立ち上がりに対して、プリチャージ信号Ｐｓｉｇのグレーレベルの発生タイミングは、プリチャージ制御パルスＰｃｇの例えば半パルス分に相当する時間だけ遅れた位相関係となっている。
【００３６】
プリチャージドライバ１５において、信号ラインｓｉｇ１〜ｓｉｇ４の各々とプリチャージ信号ライン１８の間にはプリチャージスイッチｐｓｗ１〜ｐｓｗ４がそれぞれ接続されている。これらプリチャージスイッチｐｓｗ１〜ｐｓｗ４のうち、両サイドのプリチャージスイッチｐｓｗ１，ｐｓｗ４には、切り換えスイッチ１９ｌ，１９ｒから出力されるスイッチングパルスが与えられる。
【００３７】
切り換えスイッチ１９ｌ，１９ｒは、制御ライン２０を通して与えられるプリチャージ制御パルスＰｃｇと、制御ライン２１を通して与えられるサイドブラック制御パルスＰｓｂとを２入力とするとともに、サイドブラックモードの設定時に与えられるサイドブラック設定信号ＳＢを切り換え制御入力とし、このサイドブラック設定信号ＳＢが与えられるサイドブラックモードではサイドブラック制御パルスＰｓｂを、それ以外の動作モードではプリチャージ制御パルスＰｃｇをそれぞれ選択する。ここで、プリチャージ制御パルスＰｃｇはプリチャージ期間で“Ｈ”レベルとなり、サイドブラック制御パルスＰｓｂはサイドブラックモードの設定期間で“Ｈ”レベルとなる。
【００３８】
そして、サイドブラックモードではサイドブラック制御パルスＰｓｂが、それ以外の動作モードではプリチャージ制御パルスＰｃｇがそれぞれ、両サイドのプリチャージスイッチｐｓｗ１，ｐｓｗ４に対してスイッチングパルスとして与えられる。一方、両サイド以外のプリチャージスイッチ、本例ではプリチャージスイッチｐｓｗ２，ｐｓｗ３に対しては、制御ライン２０を通して与えられるプリチャージ制御パルスＰｃｇが直接スイッチングパルスとして与えられるようになっている。
【００３９】
次に、上記構成の２ステップ一括プリチャージ方式のアクティブマトリクス型ＴＦＴ液晶表示装置において、アスペクト比を切り換える際のサイドブラックモード設定時のプリチャージ動作について、図３のタイミングチャートを用いて説明する。本例では、４行４列の画素配列において、サイドブラックモードの設定時に表示エリアの両サイドである１列目と４列目の各画素について黒表示を行うものとする。
【００４０】
プリチャージは映像信号ｖｉｄｅｏの書き込みに先立って行われる訳であるから、図２のタイミングチャートからも明らかなように、ソースドライバ１４のシフトレジスタの各転送段１７-1〜１７-4に対して水平スタートパルスＨｓｔが与えられる以前に、“Ｈ”レベルのプリチャージ制御パルスＰｃｇが制御ライン２０を通して入力される。
【００４１】
このプリチャージ制御パルスＰｃｇは、２列目，３列目のプリチャージスイッチｐｓｗ２，ｐｓｗ３に与えられる。すると、これらプリチャージスイッチｐｓｗ２，ｐｓｗ３は、プリチャージ制御パルスＰｃｇが“Ｈ”レベルの期間の間オン状態となって、２列目，３列目の信号ラインｓｉｇ２，ｓｉｇ３に対してプリチャージ信号Ｐｓｉｇを書き込む。
【００４２】
このとき、プリチャージ信号Ｐｓｉｇは、そのグレーレベルの発生タイミングがプリチャージ制御パルスＰｃｇの立ち上がりに対してプリチャージ制御パルスＰｃｇの例えば半パルス分に相当する時間だけ遅れた位相関係にあることから、２列目，３列目の信号ラインｓｉｇ２，ｓｉｇ３に対して、図３のタイミングチャートでは先ず負極性の黒レベルが書き込まれ、その後正極性のグレーレベルが書き込まれる。
【００４３】
そして、プリチャージ制御パルスＰｃｇが“Ｌ”レベルに遷移することで、プリチャージスイッチｐｓｗ２，ｐｓｗ３がオフ状態となる。これにより、映像期間に移行し、２列目，３列目の信号ラインｓｉｇ２，ｓｉｇ３に映像信号ｖｉｄｅｏが書き込まれるまでの間、これら信号ラインｓｉｇ２，ｓｉｇ３に最終的に書き込まれたグレーレベルがホールドされる。
【００４４】
このように、信号ラインｓｉｇ２，ｓｉｇ３に対して２ステップ一括プリチャージによって先ず黒レベルを書き込むことにより、画素トランジスタ（薄膜トランジスタＴＦＴ）のソース・ドレイン間のリーク電流に起因して発生する縦クロストークを除去し、その後グレーレベルを書き込むことにより、映像信号ｖｉｄｅｏの書き込みの際の充放電電流に起因して発生する縦スジを除去することができる。
【００４５】
一方、今、サイドブラックモードが設定されていることから、両サイドの信号ラインｓｉｇ１，ｓｉｇ４に対応した切り換えスイッチ１９ｌ，１９ｒは、サイドブラック設定信号ＳＢに応答して、プリチャージ制御パルスＰｃｇに代えてサイドブラック制御パルスＰｓｂを選択し、これを１列目，２列目のプリチャージスイッチｐｓｗ１，ｐｓｗ４に与える。すると、これらプリチャージスイッチｐｓｗ１，ｐｓｗ４は、サイドブラック制御パルスＰｓｂに応答してサイドブラックモードの設定期間の間オン状態となって、１列目，４列目の信号ラインｓｉｇ１，ｓｉｇ４に対してプリチャージ信号Ｐｓｉｇを書き込む。
【００４６】
このとき、図３のタイミングチャートでは先ず、負極性の黒レベルが書き込まれ、続いて正極性のグレーレベルが書き込まれ、最後に正極性の黒レベルが書き込まれることになる。すなわち、サイドブラックモードの設定時には、両サイドの１列目，４列目の各画素には、プリチャージ期間において最終的に黒レベルが書き込まれる。なお、図面上ではその具体的な構成を示していないが、映像期間に移行しても、両サイドの信号ラインｓｉｇ１，ｓｉｇ４には映像信号ｖｉｄｅｏが書き込まれないようになっている。
【００４７】
上述したように、２ステップ一括プリチャージ方式のアクティブマトリクス型ＴＦＴ液晶表示装置において、サイドブラックモードの設定時に、信号ラインｓｉｇ１〜ｓｉｇ４のうちの両サイドの信号ラインｓｉｇ１，ｓｉｇ４に対してプリチャージ信号Ｐｓｉｇをグレーレベルおよび黒レベルの順で書き込み、この黒レベルをホールドするようにしたことにより、プリチャージ信号Ｐｓｉｇがグレーレベルおよび黒レベルの順で書き込まれることによってその書き込みの際にＣｓライン１２の電位Ｖｃｓのゆれが発生しないため、両サイドの信号ラインｓｉｇ１，ｓｉｇ４に対して確実に黒レベルが書き込まれる。
【００４８】
したがって、２ステップ一括プリチャージ方式を用いたアクティブマトリクス型ＴＦＴ液晶表示装置であっても、表示エリアの両サイドを完全な黒表示にすることができるため、パネル内部でのアスペクト比の切り換えを確実に実現できることになる。特に、図２のタイミングチャートから明らかなように、各画素１１の薄膜トランジスタＴＦＴのゲート電極に与えられる走査パルス（波形Ｖｇ１で代表）が、プリチャージ制御パルスＰｃｇの“Ｈ”レベルへの遷移タイミングよりも時間ｔだけ前に“Ｌ”レベルに遷移するため、画素１１には確実にプリチャージ信号Ｐｓｉｇの黒レベルが書き込まれることになる。
【００４９】
なお、上記実施形態においては、アナログ映像信号ｖｉｄｅｏを入力とし、これをサンプリングして点順次にて各画素を駆動するアナログインターフェース駆動回路を搭載した液晶表示装置に適用した場合について説明したが、デジタル映像信号を入力とし、これをラッチした後アナログ映像信号に変換し、この変換後のアナログ映像信号をサンプリングして点順次にて各画素を駆動するデジタルインターフェース駆動回路を搭載した液晶表示装置にも同様に適用可能である。
【００５０】
【発明の効果】
以上説明したように、本発明によれば、２ステップ一括プリチャージ方式を採用した点順次駆動方式のアクティブマトリクス型液晶表示装置において、サイドブラックモードの設定時に、両サイドの信号ラインに対してプリチャージ信号をグレーレベルおよび黒レベルの順で書き込み、その後この黒レベルをホールドするようにしたことにより、その書き込みの際にＣｓラインの電位のゆれが発生せず、両サイドの信号ラインに対して確実に黒レベルを書き込めるため、表示エリアの両サイドを完全な黒表示にすることができ、したがってパネル内部でのアスペクト比の切り換えを実現できることになる。
【図面の簡単な説明】
【図１】本発明の一実施形態に係る点順次駆動方式アクティブマトリクス型液晶表示装置の構成例を示す回路図である。
【図２】プリチャージ制御パルスＰｃｇおよびプリチャージ信号Ｐｓｉｇの関係を示すタイミングチャートである。
【図３】サイドブラックモードの設定時における動作説明のためのタイミングチャートである。
【図４】ドット反転駆動方式のアクティブマトリクス型ＴＦＴ液晶表示装置の一従来例を示す回路図である。
【図５】一従来例の動作説明のためのタイミングチャートである。
【図６】ドット反転駆動方式のアクティブマトリクス型ＴＦＴ液晶表示装置の他の従来例を示す回路図である。
【図７】他の従来例の動作説明のためのタイミングチャートである。
【図８】２ステップ一括プリチャージ方式におけるサイドブラックモード設定時の課題を説明するためのタイミングチャートである。
【符号の説明】
１１…画素、１２…Ｃｓライン、１３…スキャンドライバ、１４…ソースドライバ、１５…プリチャージドライバ、１６…映像信号ライン、１８…プリチャージ信号ライン，１９ｌ，１９ｒ…切り換えスイッチ、ｈｓｗ１〜ｈｓｗ４…サンプリングスイッチ、ｐｓｗ１〜ｐｓｗ４…プリチャージスイッチ
【図１】
0004352507.tif 000002
【図２】
0004352507.tif 000003
【図３】
0004352507.tif 000004
【図４】
0004352507.tif 000005
【図５】
0004352507.tif 000006
【図６】
0004352507.tif 000007
【図７】
0004352507.tif 000008
【図８】
0004352507.tif 000009